(57)【要約】【課題】  大きなトルクがかかっても口金の固定を維持できるかしめ部を有するランプ装置およびこのランプ装置を装着する照明器具を提供する。【解決手段】  ランプ装置１は、一端側２ａに口金取付部６を有する筒状に形成された樹脂製の装置本体２と、装置本体２の他端側２ｂに取付けられた発光体３と、装置本体２内に配設され、発光体３を点灯する点灯装置４と、点灯装置４に電線１０ａ，１０ｂを介して電気的に接続される口金アイレット部１１および口金シェル部１２を備え、口金シェル部１２の外周面１２ａにその外周方向に所定長の長形を有するパターン状のかしめ部１４が形成されるように、口金取付部６に嵌合してかしめられて取り付けられた口金５とを具備している。【選択図】図３
2013054838.tif 000002
【特許請求の範囲】
【請求項１】
一端側に口金取付部を有する筒状に形成された樹脂製の装置本体と；
この装置本体の他端側に取付けられた発光体と；
前記装置本体内に配設され、前記発光体を点灯する点灯装置と；
この点灯装置に電線を介して電気的に接続される口金アイレット部および口金シェル部を備え、この口金シェル部の外周面にその外周方向に所定長の長形を有するパターン状のかしめ部が形成されるように、前記口金取付部に嵌合してかしめられて取り付けられた口金と；
を具備していることを特徴とするランプ装置。
【請求項２】
前記かしめ部は、前記口金シェル部の外周方向およびこの外周方向と直交する直交方向にパターン状に形成された複数個からなり、前記外周方向に略等間隔となるようにかつ同時に形成されていることを特徴とする請求項１記載のランプ装置。
【請求項３】
請求項１または２記載のランプ装置と；
このランプ装置が接続されるソケットを有する器具本体と；
を具備していることを特徴とする照明器具。
【発明の詳細な説明】
【技術分野】
【０００１】
本発明の実施形態は、口金アイレット部および口金シェル部を有する口金を備えるランプ装置およびこのランプ装置を装着する照明器具に関する。
【背景技術】
【０００２】
従来、例えば、一般照明用電球のソケットに装着可能な口金を備えたＬＥＤ電球（ランプ装置）は、一端側に口金が固定された口金取付部を有する樹脂製のカバー（装置本体）を備え、このカバーの内部に点灯装置を収納し、カバーの他端側にＬＥＤモジュール（発光体）が保持されたホルダを取り付けている。カバーの他端側には、必要に応じて、ＬＥＤモジュールを覆うグローブを取り付けている。
【０００３】
そして、口金は、その口金シェル部がカバーの口金取付部に嵌合されて、絶縁性の接着材またはかしめにより固定されている（例えば特許文献１参照。）。当該かしめは、カバーの口金取付部に口金シェル部を外周上の複数個所からポンチして形成されている。そのポンチ用工具には、例えば先端側が尖った針状の突起物（ニードルピン）が用いられている。当該ポンチ用工具によるかしめ部は、小円形状となっている。
【先行技術文献】
【特許文献】
【０００４】
【特許文献１】特開２００８−１３５２１０号公報（第７頁、第１図）
【発明の概要】
【発明が解決しようとする課題】
【０００５】
口金の固定に接着材を使用すると、接着材の硬化時間を要するとともに、追加部品等による補助的な固定手段を要する場合があり、ＬＥＤ電球の組立作業に時間的または工数的な手間を要して、ＬＥＤ電球をコストアップさせる要因となっている。
【０００６】
また、針状の突起物によるかしめは、かしめ部が小円形状であるために、かしめ部が複数箇所に設けられていても、口金のカバーの口金取付部への圧接強度が大きくないという欠点を有する。特に、ビームランプなどの大口径のランプ装置では、電球用ソケットに装着したときに、口金および口金取付部の間に過度のトルクがかかりやすく、口金外れの要因となっている。
【０００７】
本発明の実施形態は、大きなトルクがかかっても口金の固定を維持できるかしめ部を有するランプ装置およびこのランプ装置を装着する照明器具を提供することを目的とする。
【課題を解決するための手段】
【０００８】
実施形態のランプ装置は、装置本体、発光体、点灯装置および口金を具備して構成される。
【０００９】
装置本体は、樹脂により筒状に形成され、一端側に口金取付部を有し、他端側に発光体を取付けている。発光体は、点灯装置によって点灯される。点灯装置は、装置本体内に配設されている。
【００１０】
口金は、点灯装置に電線を介して電気的に接続される口金アイレット部および口金シェル部を備える構造であり、装置本体の口金取付部に嵌合してかしめられて取り付けられる。このとき、かしめ部は、口金シェル部の外周面に、その外周方向に所定長の長形を有するパターン状に形成される。
【発明の効果】
【００１１】
本発明の実施形態によれば、口金は、口金シェル部の外周面にその外周方向に所定長の長形を有するパターン状のかしめ部が形成されるように装置本体の口金取付部にかしめられているので、口金シェル部の外周方向における口金シェル部と口金取付部との接合長が大きくなり、ランプ装置を電球用ソケットに装着しているときにかしめ部において口金シェル部の外周方向に作用して口金シェル部および口金取付部をずれさせようとする力（せん断力）に対する抗力を大きくすることができて、これにより、口金が口金取付部より外れることを防止できることが期待できる。
【図面の簡単な説明】
【００１２】
【図１】本発明の第１の実施形態を示すランプ装置の概略正面図である。
【図２】同じく、口金を拡大させたランプ装置の概略部分正面図である。
【図３】同じく、装置本体の概略正面断面図である。
【図４】同じく、他のかしめ部の形状を示す概略正面図である。
【図５】本発明の第２の実施形態を示す照明器具の一部切り欠き概略側面図である。
【発明を実施するための形態】
【００１３】
以下、本発明の一実施の形態について、図面を参照して説明する。まず、本発明の第１の実施形態について説明する。
【００１４】
本実施形態のランプ装置１は、図１ないし図４に示すように構成される。図３において、ランプ装置１は、装置本体２、発光体３、点灯装置４および口金５を備えている。
【００１５】
装置本体２は、合成樹脂例えばポリブチレンテレフタレート（ＰＢＴ）樹脂により筒状に形成されている。すなわち、一端側２ａに略円筒状の口金取付部６が形成され、他端側２ｂに拡開した環状のカバー部７が形成されている。そして、口金取付部６にエジソンタイプのＥ２６形の口金５が取付けられ、カバー部７に発光体３が取付けられている。
【００１６】
発光体３は、カバー部７の開口部７ａ側に図示しない取付け部材により固定された放熱板８に取付けられている。放熱板８は、高熱伝導率を有する金属例えばアルミニウム（Ａｌ）からなり、所定の厚さを有する正方形または円形に形成されている。発光体３は、図示しないねじにより放熱板８に面接触して固定されている。
【００１７】
そして、発光体３は、図示しない平板状の基板、この基板の一面に複数個が設けられたＬＥＤベアチップおよびＬＥＤベアチップを覆う封止樹脂を有する既知の構成により形成されている。発光体３は、点灯装置４から給電されて点灯することにより、例えば白色光を放射する。こうして、発光体３は、装置本体２の他端側２ｂに取付けられている。
【００１８】
点灯装置４は、回路基板９およびこの回路基板９の両面に実装された図示しない電子部品等により、発光体３を点灯する既知の点灯回路に形成されている。そして、点灯装置４は、装置本体２の内面２ｃに図示しない固定部材により固定されて、装置本体２内に配設されている。そして、点灯装置４の入力側は、電線としてのリード線１０ａ，１０ｂにより、それぞれ口金５の口金アイレット部１１および口金シェル部１２に電気的に接続されている。また、点灯装置４の出力側は、図示しないリード線により発光体３に接続されている。
【００１９】
口金５は、口金アイレット部１１および口金シェル部１２を備える既存の例えばＥ２６形の口金である。口金５は、装置本体２の口金取付部６に嵌合され、口金シェル部１２の下端外周面１２ａが複数個のニードルピン１３によりかしめられて、口金取付部６に固定されている。そして、ニードルピン１３によりかしめられたかしめ部１４（図２に示す。）は、口金シェル部１２の下端外周面１２ａの外周方向に略等間隔となるように複数形成されているとともに、複数個のニードルピン１３が同時に押し当てられて形成されている。これにより、かしめ部１４は、口金５の外周に亘って略均等に、口金５を口金取付部６に接合させて固定している。
【００２０】
そして、かしめ部１４は、図２に示すように、Ｔ形のパターン状に形成されている。すなわち、かしめ部１４は、口金シェル部１２の下端外周面１２ａに、下端外周面１２ａの外周方向に所定長（例えば２〜３ｍｍ）の長形（長方形）に形成されたパターン部１４ａおよび下端外周面１２ａの外周方向と直交する直交方向（装置本体２の他端側２ｂから一端側２ａに向かう方向）に長形（長方形）に形成されたパターン部１４ｂに形成されているとともに、パターン部１４ａがパターン部１４ｂを中心軸として左右対称に形成されている。そして、パターン部１４ａのかしめ幅Ｗ１およびパターン部１４ｂのかしめ幅Ｗ２は、同等の大きさに形成されている。このように、かしめ部１４は、前記直交方向を中心軸として左右対称に形成されたパターンからなっている。
【００２１】
ニードルピン１３の端面は、Ｔ形のパターン状に形成されている。そして、ニードルピン１３の端面が口金シェル部１２の下端外周面１２ａに押し当たられることにより、下端外周面１２ａにＴ形のパターン状のかしめ部１４が形成される。口金５は、かしめ部１４が装置本体２の口金取付部６に強く接合して固定されている。
【００２２】
口金５は、その口金シェル部１２が電球用ソケットに螺合して取付けられ、口金アイレット部１１および口金シェル部１２に外部電源の交流電圧が印加される。交流電圧は、リード線１０ａ，１０ｂを介して点灯装置４に入力する。
【００２３】
そして、装置本体２は、その一端側２ａに、図１に示すように、装置本体２が収納されるようにして、保護カバー１５を有する筐体１６を取付けている。筐体１６は、例えばアルミニゥム（Ａｌ）からなり、装置本体２の一端側２ａから他端側２ｂに向かうにつれて次第に拡開する略円錐台状に形成されている。保護カバー１５は、透光性の樹脂またはガラスにより、前面１５ａが平坦な円形に形成されている。
【００２４】
次に、本発明の第１の実施形態の作用について述べる。
【００２５】
ランプ装置１は、例えば筐体１６部分を手に持って電球用ソケットにねじ込まれる。このとき、口金５の口金シェル部１２は、電球用ソケットに螺合するように螺旋状に回転し、電球用ソケットのねじ山から摩擦抵抗を受ける。口金５のかしめ部１４には、前記ねじ込みによる口金シェル部１２の外周方向へのねじ込み力（トルク）および前記摩擦抵抗によるねじ込み力に対抗する抗力が作用する。前記ねじ込み力および前記抗力は、口金シェル部１２の下端外周面１２ａにおいて、互いに外周方向の反対側に作用し、装置本体２の口金取付部６および口金５の口金シェル部１２の接合を引き離すように作用する。すなわち、かしめ部１４には、口金シェル部１２および口金取付部６をずれさせようとするせん断力が作用する。
【００２６】
しかし、かしめ部１４は、口金５の下端外周面１２ａにＴ形に形成され、下端外周面１２ａの外周方向と直交する直交方向に長形（長方形）のパターン部１４ｂが形成されているのに加えて、下端外周面１２ａの外周方向に、小円ではなく所定長の長形（長方形）を有するパターン部１４ａが形成されているので、下端外周面１２ａの外周方向における口金シェル部１２と装置本体２の口金取付部６との接合長を相応に大きくしている。したがって、口金シェル部１２の外周方向における口金シェル部１２と口金取付部６との接合強度は、相応に大きく、前記せん断力に対抗することができる。
【００２７】
また、かしめ部１４は、口金シェル部１２の下端外周面１２ａに、口金シェル部１２の外周方向に略等間隔となるように複数個が形成されているとともに、同時に形成されているので、口金シェル部１２の外周に亘って、口金シェル部１２と口金取付部６とをほぼ同等の接合強度で取り付けている。したがって、前記せん断力は、ほぼ均等に分割され、個々のかしめ部１４に作用するせん断力が低下する。これにより、前記せん断力によって、口金シェル部１２および口金取付部６がずれることが極力抑制され、口金５が装置本体２の口金取付部６から取り外れることが防止される。
【００２８】
また、ランプ装置１を電球用ソケットから取り外すときにも、上述と同様である。
【００２９】
本実施形態のランプ装置１によれば、口金５は、口金シェル部１２の下端外周面１２ａに、その外周方向に所定長の長形（長方形）を有するＴ形パターン状のかしめ部１４が形成されるように装置本体２の口金取付部６にかしめられているので、口金シェル部１２の外周方向における口金シェル部１２と口金取付部６との接合長が大きくなり、ランプ装置１を電球用ソケットに装着しているときにかしめ部１４において口金シェル部１２の外周方向に作用して口金シェル部１２および口金取付部６をずれさせようとするせん断力に対する抗力を大きくすることができて、これにより、口金５が口金取付部６より取り外れることを防止できるという効果を有する。
【００３０】
また、かしめ部１４は、口金シェル部１２の下端外周面１２ａに、口金シェル部１２の外周方向に略均等にかつ同時に形成されているので、口金シェル部１２の外周に亘って、口金シェル部１２および装置本体２の口金取付部６を略同等の接合強度で接合させることができて、口金５を口金取付部６からさらに取り外れにくくすることができるという効果を有する。
【００３１】
なお、本実施形態では、かしめ部１４は、Ｔ形に形成したが、図４（ａ）〜図４（ｆ）に示すように、Ｈ形、Ｙ形、アスタリスク形、プラス形、三角形、星形などに形成されてもよい。これらにおいても、かしめ部１４は、口金シェル部１２の下端外周面１２ａに、口金シェル部１２の外周方向に所定長の長形を有し、上述した作用、効果を有することができる。
【００３２】
次に、本発明の第２の実施形態について説明する。
【００３３】
第２の実施形態は、本発明の照明器具２１であり、図５に示すように構成されている。なお、図１と同一部分には、同一符号を付している。
照明器具２１は、屋外に設置される投光器であり、図１に示すランプ装置１、器具本体２２、接手２３および接続金具２４を有して構成されている。器具本体２２は、例えばアルミダイキャストにより略カップ状に形成されている。そして、器具本体２２は、その内部にソケットとしての電球用ソケット２５を配設し、その開口部２２ｂに例えば黒色のシリコーン樹脂からなる防水パッキン２６を設けている。器具本体２２の外面２２ａは、例えばポリエステル粉体塗装により白色に形成されている。そして、器具本体２２は、接手２３に回転可能に取り付けられている。
【００３４】
接手２３は、例えばアルミダイキャストにより形成され、ボルト２７を介して器具本体２２を取り付けている。すなわち、ボルト２７に螺着されている蝶ナット２８を緩めると、ボルト２７を回転軸として、器具本体２２を自由自在に回転することができて、器具本体２２の向きを可変できる。そして、蝶ナット２８を完全に締め付けると、器具本体２２を可変した向きの状態で接手２３に固定できる。接手２３の外面２３ａは、例えばポリエステル粉体により白色塗装されている。そして、接手２３は、接続金具２４に取り付けられている。
【００３５】
接続金具２４は、例えばアルミダイキャストにより、中空を有する略コーン状に形成されているとともに、下端側にフランジ部２４ａ、上端側に略円筒部２４ｂを有している。接続金具２４は、建物などの取付け台２８に固定されている。すなわち、接続金具２４は、フランジ部２４ａに設けられた取付け孔２９を介して図示しないボルトが取付け台２８にねじ込まれている。そして、接続金具２４の上端側の略円筒部２４ｂが接手２３に挿入されて、接手２３のねじ３０により押し当てられて固定されている。
【００３６】
接続金具２４の内部には、電球用ソケット２５に接続されている電気コード３１が接手２３側から導入されている。電気コード３１は、取付け台２８内に配線されて外部電源に接続されている。接続金具２４の外面２４ｃは、例えばポリエステル粉体塗装により、赤色または白色に形成されている。
【００３７】
こうして、器具本体２２は、接手２３および接続金具２４により取付け台２８に取り付けられているとともに、その内部の電球用ソケット２５が外部電源に接続されている。
【００３８】
そして、電球用ソケット２５には、ランプ装置１の口金５（図示しない。）が完全に螺着されて接続されている。このとき、ランプ装置１の筐体１６の外面１６ａは、器具本体２２に設けられた防水パッキン２６に密接している。これにより、筐体１６の外面１６ａから器具本体２２の内部に雨水などの水分や塵埃などが侵入しなくなっている。
【００３９】
そして、器具本体２２は、ランプ装置１が地面に対して側方側を照明するように、横向きに取り付けられている。電気コード３１を介して電球用ソケット２５に外部電源が供給されると、ランプ装置１から白色光が放射される。白色光は、ランプ装置１の側方側に設けられる看板等の被対象物を照明する。
【００４０】
本実施形態の照明器具２１は、口金シェル部１２の下端外周面１２ａに、その外周方向に所定長の長形を有するかしめ部１４が形成されたランプ装置１を装着するので、筐体１６の外面１６ａが防水パッキン２６に強固に密接するように、ランプ装置１が電球用ソケット２５に強いトルクでねじ込まれても、口金５が装置本体２の口金取付部６から取り外れることを防止できるという効果を有する。
【００４１】
なお、本実施形態のランプ装置１は、屋外用の照明器具に限らず、屋内用の照明器具に用いてもよいものである。
【符号の説明】
【００４２】
１…ランプ装置、  ２…装置本体、  ３…発光体、  ４…点灯装置、  ５…口金、  ６…口金取付部、  １１…口金アイレット部、  １２…口金シェル部、  １４…かしめ部、  ２１……照明器具、  ２２…器具本体、  ２５…ソケットとしての電球用ソケット
【図１】
2013054838.tif 000003
【図２】
2013054838.tif 000004
【図３】
2013054838.tif 000005
【図４】
2013054838.tif 000006
【図５】
2013054838.tif 000007